【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
異なるユーザに対してビジネスプロセスモデルの一貫したビューを自動的に導出するために、ビジネスプロセスモデルにおける意味的に一貫したユーザに合ったフラグメントの自動識別を提供するための、１つまたは複数のプロセッサによって実行される、コンピュータ実施方法であって、
ビジネスプロセスモデルとの対話を行うユーザを識別する段階（５１０）と、
前記ユーザに関連する、前記ビジネスプロセスモデルにおけるプロセスフラグメントの階層を識別する段階（５０５）と、
前記ユーザの役割に関連する少なくとも１つのプロセスメタデータカテゴリを決定する段階（５２０）と、
プロセスフラグメントの前記階層内の各プロセスフラグメントに対するスコアを算出する段階と、
前記ユーザに提示される前記ビジネスプロセスモデルのビューに含めるために、プロセスフラグメントの前記階層内の少なくとも１つのプロセスフラグメントを選択する段階（５３５）と、
前記ユーザに前記ビジネスプロセスモデルの前記ビューを提供する段階（５４５）と
を有し、
前記スコアは、前記ユーザの前記役割に関連する前記少なくとも１つのプロセスメタデータカテゴリに対する関心の推定レベルに少なくとも部分的に基づいて算出され、
少なくとも１つのプロセスフラグメントを選択する前記段階は、前記少なくとも１つのプロセスフラグメントに対して算出された前記スコアに少なくとも部分的に基づいて行われることを特徴とする方法。
【請求項２】
前記ユーザの役割に関連する少なくとも１つのプロセスメタデータカテゴリを決定する前記段階が、動的なルックアップテーブルを使用して、前記ユーザの前記役割に関連する前記少なくとも１つのプロセスメタデータカテゴリを決定する段階を含み、
前記少なくとも１つのプロセスメタデータカテゴリは、サービスの消費をカテゴリにグループ化したものを含み、
消費されるサービスは、公開ウェブサービスを含み、
公開ウェブサービスのグループ化は、サービスインタフェースの名前空間、ドメイン、物理サービスプロバイダシステム、サービスシグネチャにおける共通データタイプ、およびセキュリティ設定のうちの１つ以上に基づいて行われることを特徴とする請求項１に記載の方法。
【請求項３】
プロセスフラグメントの前記階層が、自動プロセスフラグメント検出アルゴリズムによって決定されることを特徴とする請求項１または２に記載の方法。
【請求項４】
各プロセスフラグメントに対するスコアを算出する前記段階が、特定のプロセスフラグメントに関連する各プロセスメタデータカテゴリに対するスコアの加重平均を算出する段階を含むことを特徴とする請求項１ないし３のいずれか１項に記載の方法。
【請求項５】
少なくとも１つのプロセスフラグメントを選択する前記段階が、
プロセスフラグメントの前記階層内のルートプロセスフラグメントを識別する段階と、
前記ルートプロセスフラグメントのスコアが、前記ルートプロセスフラグメントに関連するサブツリー内のプロセスフラグメントのすべての組み合わせの平均スコアよりも大きい場合に、前記ビジネスプロセスモデルの前記ビューに含めるために、前記ルートプロセスフラグメントを選択する段階と
をさらに含むことを特徴とする請求項１ないし４のいずれか１項に記載の方法。
【請求項６】
少なくとも１つのプロセスフラグメントを選択する前記段階が、前記ユーザに以前に提供された前記ビジネスプロセスモデルのビューの履歴にさらに基づいて行われることを特徴とする請求項１ないし５のいずれか１項に記載の方法。
【請求項７】
前記少なくとも１つのプロセスメタデータカテゴリが、会話、サービス消費、イベント受け取り、ユーザ役割、レーン割り当て、プロセスログ、またはデータフローのうちの少なくとも１つを含むことを特徴とする請求項１ないし６のいずれか１項に記載の方法。
【請求項８】
前記ビジネスプロセスモデルの前記ビューが、前記ビジネスプロセスモデルに関連するすべてのプロセスフラグメントの完全な表現を含むことを特徴とする請求項１ないし７のいずれか１項に記載の方法。
【請求項９】
前記ユーザの前記役割に関連する前記少なくとも１つのプロセスメタデータカテゴリに対する関心の前記推定レベルが、ビジネスプロセスモデルの以前のビューに関連する統計データの分析に基づいて決定されることを特徴とする請求項１ないし８のいずれか１項に記載の方法。
【請求項１０】
請求項１ないし９のいずれか１項に記載の方法を１つまたは複数のプロセッサに実行させるためのコンピュータ可読命令を含むコンピュータプログラム。
【請求項１１】
前記ユーザの前記役割が、前記ユーザに関連する組織図に基づいて決定されることを特徴とする請求項１０に記載のコンピュータプログラム。
【請求項１２】
異なるユーザに対してビジネスプロセスモデルの一貫したビューを自動的に導出するためのシステムであって、
プロセスメタデータを格納するように構成されたメモリと、
１つまたは複数のプロセッサと
を具備し、
前記１つまたは複数のプロセッサは、
ビジネスプロセスモデルとの対話を行うユーザを識別する手順（５１０）と、
前記ユーザに関連する、前記ビジネスプロセスモデルにおけるプロセスフラグメントの階層を識別する手順（５０５）と、
前記ユーザの役割に関連する少なくとも１つのプロセスメタデータカテゴリを決定する手順（５２０）と、
プロセスフラグメントの前記階層内の各プロセスフラグメントに対するスコアを算出する手順と、
前記ユーザに提示される前記ビジネスプロセスモデルのビューに含めるために、プロセスフラグメントの前記階層内の少なくとも１つのプロセスフラグメントを選択する手順（５３５）と、
前記ユーザに前記ビジネスプロセスモデルの前記ビューを提供する手順（５４５）と
を実行するように構成され、
前記スコアは、前記ユーザの前記役割に関連する前記少なくとも１つのプロセスメタデータカテゴリに対する関心の推定レベルに少なくとも部分的に基づいて算出され、
少なくとも１つのプロセスフラグメントを選択する前記手順は、前記少なくとも１つのプロセスフラグメントに対して算出された前記スコアに少なくとも部分的に基づいて行われることを特徴とするシステム。
【請求項１３】
各プロセスフラグメントに対するスコアを算出する前記手順が、特定のプロセスフラグメントに関連する各プロセスメタデータカテゴリに対するスコアの加重平均を算出する手順を含むことを特徴とする請求項１２に記載のシステム。
【請求項１４】
少なくとも１つのプロセスフラグメントを選択する前記手順が、
プロセスフラグメントの前記階層内のルートプロセスフラグメントを識別する手順と、
前記ルートプロセスフラグメントのスコアが、前記ルートプロセスフラグメントに関連するサブツリー内のプロセスフラグメントのすべての組み合わせの平均スコアよりも大きい場合に、前記ビジネスプロセスモデルの前記ビューに含めるために、前記ルートプロセスフラグメントを選択する手順と
をさらに含むことを特徴とする請求項１２または１３に記載のシステム。
【請求項１５】
少なくとも１つのプロセスフラグメントを選択する前記手順が、前記ユーザに以前に提供された前記ビジネスプロセスモデルのビューの履歴にさらに基づいて行われることを特徴とする請求項１２ないし１４のいずれか１項に記載のシステム。
【請求項１６】
前記ビジネスプロセスモデルの前記ビューが、前記ビジネスプロセスモデルに関連するすべてのプロセスフラグメントの完全な表現を含むことを特徴とする請求項１２ないし１５のいずれか１項に記載のシステム。